(57)【要約】【課題】容器に付着した汚れを容易に清掃することができる容器清掃装置の提供。【解決手段】容器清掃装置１は、全体として略長方形状に形成された板状の台座部２と、台座部２に設けられるブラシ３と、台座部２に設けられるとともに、ブラシ３と所定の間隔を隔てて対向するブラシ４とを備えている。使用者は、底面および側面を有する皿状の容器を、ブラシ３と、ブラシ４との間に通すことによって、容器の側面をブラシ３およびブラシ４に当接させて清掃する。【選択図】図１
2014117541.tif 000002
【特許請求の範囲】
【請求項１】
板状の台座部と、
前記台座部に設けられる第１の清掃具と、
前記台座部に設けられるとともに、前記第１の清掃具と所定の間隔を隔てて対向する第２の清掃具とを備え、
底面および側面を有する皿状の容器を、前記第１の清掃具と、前記第２の清掃具との間に通させることによって、前記容器の側面を前記第１の清掃具および前記第２の清掃具に当接させて清掃することを特徴とする容器清掃装置。
【請求項２】
請求項１に記載された容器清掃装置において、
前記台座部に設けられるとともに、前記第１の清掃具と、前記第２の清掃具との間に配設される第３の清掃具を備え、
前記第３の清掃具は、前記第１の清掃具と、前記第２の清掃具との間に前記容器を通させることによって、前記容器の底面に当接して前記容器の底面を清掃することを特徴とする容器清掃装置。
【請求項３】
請求項２に記載された容器清掃装置において、
前記第３の清掃具は、ナイロン束子であることを特徴とする容器清掃装置。
【請求項４】
請求項１から請求項３のいずれかに記載された容器清掃装置において、
前記第１の清掃具および前記第２の清掃具の少なくともいずれか一方は、前記第１の清掃具および前記第２の清掃具の対向方向に沿って進退自在に設けられることを特徴とする容器清掃装置。
【請求項５】
請求項１から請求項４のいずれかに記載された容器清掃装置において、
前記第１の清掃具および前記第２の清掃具は、ブラシであることを特徴とする容器清掃装置。
【発明の詳細な説明】
【技術分野】
【０００１】
本発明は、皿状の容器を清掃するための容器清掃装置に関する。
【背景技術】
【０００２】
従来、化粧料にプレス処理を施して打型することによって固形化粧料を製造する固形化粧料の製造方法が知られている（例えば、特許文献１参照）。
特許文献１に記載された固形化粧料の製造方法では、金型の内部に化粧皿（容器）を収納した状態において、化粧料を化粧皿に充填した後、化粧料にプレス処理を施している。
ここで、金型と、化粧皿との間には、クリアランスが僅かに形成されているので、化粧料を化粧皿に充填する際や、化粧料にプレス処理を施す際に、化粧料がクリアランスに入り込み、化粧皿の側面や底面に付着して汚れてしまうという問題がある。このため、化粧料にプレス処理を施した後、化粧皿に付着した汚れを手作業で拭き取って清掃している。
【先行技術文献】
【特許文献】
【０００３】
【特許文献１】特開２０１１−０３７７９９号公報
【発明の概要】
【発明が解決しようとする課題】
【０００４】
しかしながら、化粧皿に付着した汚れを手作業で拭き取ると手間がかかるので、固形化粧料の製造効率が低下するという問題がある。また、化粧皿に付着した汚れは、化粧料の処方によっては拭き取りにくい場合があるので、汚れを強く拭き取ろうとして化粧皿に負荷がかかってしまい、固形化粧料の製造不良を招き、ひいては歩留まりが低下するという問題がある。
【０００５】
本発明の目的は、容器に付着した汚れを容易に清掃することができる容器清掃装置を提供することである。
【課題を解決するための手段】
【０００６】
本発明の容器清掃装置は、板状の台座部と、台座部に設けられる第１の清掃具と、台座部に設けられるとともに、第１の清掃具と所定の間隔を隔てて対向する第２の清掃具とを備え、底面および側面を有する皿状の容器を、第１の清掃具と、第２の清掃具との間に通させることによって、容器の側面を第１の清掃具および第２の清掃具に当接させて清掃することを特徴とする。
【０００７】
このような構成によれば、容器清掃装置は、第１の清掃具と、第２の清掃具との間に容器を通させることによって、容器の側面を第１の清掃具および第２の清掃具に当接させて清掃するので、容器の側面に付着した汚れを容易に清掃することができる。
また、このような容器清掃装置を用いることによって、前述した化粧皿に付着した汚れを清掃すれば、固形化粧料の製造効率を向上させることができるとともに、固形化粧料の製造不良を招きにくくなり、ひいては歩留まりを向上させることができる。
【０００８】
本発明では、台座部に設けられるとともに、第１の清掃具と、第２の清掃具との間に配設される第３の清掃具を備え、第３の清掃具は、第１の清掃具と、第２の清掃具との間に容器を通させることによって、容器の底面に当接して容器の底面を清掃することが好ましい。
【０００９】
このような構成によれば、第３の清掃具は、第１の清掃具と、第２の清掃具との間に容器を通させることによって、容器の底面に当接して容器の底面を清掃するので、容器清掃装置は、容器の側面に付着した汚れだけでなく、容器の底面に付着した汚れも容易に清掃することができる。
【００１０】
本発明では、第３の清掃具は、ナイロン束子であることが好ましい。
【００１１】
このような構成によれば、容器の底面に付着した汚れをナイロン束子にて清掃することができる。ナイロン束子は、ブラシなどのような目の粗い他の清掃具と比較して目が細かいので、容器の底面に付着した汚れを確実に清掃することができる。また、ナイロン束子の表面に容器の底面を滑らせるようにして、第１の清掃具と、第２の清掃具との間に容器を滑らかに通すことができるので、容器の清掃効率を向上させることができる。
【００１２】
本発明では、第１の清掃具および第２の清掃具の少なくともいずれか一方は、第１の清掃具および第２の清掃具の対向方向に沿って進退自在に設けられることが好ましい。
【００１３】
このような構成によれば、容器清掃装置は、第１の清掃具と、第２の清掃具との間隔を容器の大きさに合わせて調整することができるので、容器清掃装置の汎用性を向上させることができる。
【００１４】
本発明では、第１の清掃具および第２の清掃具は、ブラシであることが好ましい。
【００１５】
このような構成によれば、容器の側面に付着した汚れをブラシにて清掃することができる。ブラシは、スポンジなどのような目の細かい他の清掃具と比較して目が粗く汚れが溜まりにくいので、汚れのひどい箇所を繰り返し清掃するのに適している。例えば、前述した化粧皿に付着した汚れを清掃する場合には、化粧皿の底面よりも化粧皿の側面に汚れが付着しやすいので、第１の清掃具および第２の清掃具をブラシとすることによって、容器清掃装置は、高い清掃能力を維持しつつ容器を繰り返し清掃することができる。
【図面の簡単な説明】
【００１６】
【図１】本発明の第１実施形態に係る容器清掃装置の外観を示す斜視図
【図２】容器清掃装置を用いて容器を清掃する前の様子を示す模式図
【図３】容器清掃装置を用いて容器を清掃している途中の様子を示す模式図
【図４】本発明の第２実施形態に係る２つの容器清掃装置を示す模式図
【図５】２つの容器清掃装置を用いて容器を清掃する前の様子を示す模式図
【発明を実施するための形態】
【００１７】
〔第１実施形態〕
以下、本発明の第１実施形態を図面に基づいて説明する。
図１は、本発明の第１実施形態に係る容器清掃装置の外観を示す斜視図である。
容器清掃装置１は、図１に示すように、全体として略長方形状に形成された板状の台座部２と、台座部２に設けられる第１の清掃具としてのブラシ３と、台座部２に設けられるとともに、ブラシ３と所定の間隔を隔てて対向する第２の清掃具としてのブラシ４と、台座部２に設けられるとともに、ブラシ３と、ブラシ４との間に配設される第３の清掃具としてのナイロン束子５とを備えている。
なお、ブラシ３およびブラシ４は、柄の部分を固定されるとともに、毛の部分を対向させるように配置されている。
【００１８】
台座部２は、長手方向の一端（図１右端）に起立して設けられ、ブラシ３の柄を２本のネジを介して挟持することによって固定するブラシ固定部２１と、長手方向の中央よりも一端側に位置し、ナイロン束子５が取り付けられる束子取付部２２と、長手方向に沿って形成されたスリット２３Ａを有し、束子取付部２２よりも狭い幅で長手方向の中央から他端（図１左端）にかけて延在するスリット部２３と、スリット部２３に取り付けられるスライダ２４とを備えている。
なお、ナイロン束子５は、ナイロンなどの繊維と研磨剤を固めたものであり、束子取付部２２に着脱自在に配設されている。
【００１９】
スライダ２４は、スリット２３Ａの内部に向かって突出する突出部２４Ａと、スリット部２３の側面に当接する板面を有する矩形板状の板状部２４Ｂと、ブラシ４の柄を２本のネジを介して挟持することによって固定するブラシ固定部２４Ｃとを備えている。
このスライダ２４は、スリット２３Ａの内部に突出部２４Ａを嵌め入れることによって、台座部２の長手方向に沿って進退自在に取り付けられている。また、板状部２４Ｂは、スリット部２３の側面に当接することによって、スライダ２４の進退をガイドする役割を果たしている。すなわち、ブラシ４は、ブラシ３およびブラシ４の対向方向に沿って進退自在に設けられている。
【００２０】
なお、スライダ２４の進退は、台座部２の一端側においては、板状部２４Ｂと、束子取付部２２とが当接することによって規制される。また、スライダ２４の進退は、台座部２の他端側においては、スリット２３Ａの縁と、突出部２４Ａとが当接することによって規制される。
【００２１】
図２は、容器清掃装置１を用いて容器を清掃する前の様子を示す模式図である。図３は、容器清掃装置１を用いて容器を清掃している途中の様子を示す模式図である。ここで、図２および図３は、容器清掃装置１を上方側から見た図であり、以下の図においても同様である。
容器清掃装置１を用いて容器としての化粧皿Ｃ１を清掃するには、まず、スライダ２４を進退させることによって、ブラシ３と、ブラシ４との間隔を化粧皿Ｃ１の短手方向の幅よりも僅かに狭くなるように調整する。
【００２２】
次に、使用者は、化粧皿Ｃ１の長手方向に沿って化粧皿Ｃ１を移動させるとともに、ブラシ３と、ブラシ４との間に化粧皿Ｃ１を通すことによって（図２，３矢印参照）、化粧皿Ｃ１の短手方向両側の側面をブラシ３およびブラシ４に当接させて清掃する。この際、ナイロン束子５は、化粧皿Ｃ１の底面に当接して化粧皿Ｃ１の底面を清掃する。
なお、本実施形態では、化粧皿Ｃ１は、長方形状の底面と、４つの側面とを有する皿状に形成されている。また、従来の固形化粧料の製造方法と同様に、金型の内部に化粧皿Ｃ１を収納した状態において、ファンデーションや、フェイスパウダーや、アイシャドウなどの粉末状の化粧料Ｃ２を化粧皿Ｃ１に充填した後、化粧料Ｃ２にプレス処理を施している。
【００２３】
ここで、容器清掃装置１は、長手方向両側の側面を清掃していないので、使用者は、化粧皿Ｃ１の長手方向両側の側面に付着した汚れを手作業で拭き取って清掃する。
なお、使用者は、スライダ２４を進退させることによって、ブラシ３と、ブラシ４との間隔を化粧皿Ｃ１の長手方向の幅よりも僅かに狭くなるように調整した後、化粧皿Ｃ１の短手方向に沿って化粧皿Ｃ１を移動させるとともに、ブラシ３と、ブラシ４との間に化粧皿Ｃ１を通すことによって、化粧皿Ｃ１の長手方向両側の側面をブラシ３およびブラシ４に当接させて清掃してもよい。
【００２４】
このような本実施形態によれば、以下の作用・効果を奏することができる。
（１）容器清掃装置１は、ブラシ３と、ブラシ４との間に化粧皿Ｃ１を通させることによって、化粧皿Ｃ１の側面をブラシ３およびブラシ４に当接させて清掃するので、化粧皿Ｃ１の側面に付着した汚れを容易に清掃することができる。したがって、固形化粧料の製造効率を向上させることができるとともに、固形化粧料の製造不良を招きにくくなり、ひいては歩留まりを向上させることができる。
【００２５】
（２）ナイロン束子５は、ブラシ３と、ブラシ４との間に化粧皿Ｃ１を通させることによって、化粧皿Ｃ１の底面に当接して化粧皿Ｃ１の底面を清掃するので、容器清掃装置１は、化粧皿Ｃ１の側面に付着した汚れだけでなく、化粧皿Ｃ１の底面に付着した汚れも容易に清掃することができる。
（３）容器製造装置１は、化粧皿Ｃ１の底面に付着した汚れをナイロン束子５にて清掃することができるので、化粧皿Ｃ１の底面に付着した汚れを確実に清掃することができる。また、ナイロン束子５の表面に化粧皿Ｃ１の底面を滑らせるようにして、ブラシ３と、ブラシ４との間に化粧皿Ｃ１を滑らかに通すことができるので、化粧皿Ｃ１の清掃効率を向上させることができる。
【００２６】
（４）容器清掃装置１は、スライダ２４を進退させることによって、ブラシ３と、ブラシ４との間隔を化粧皿Ｃ１の大きさに合わせて調整することができるので、容器清掃装置１の汎用性を向上させることができる。
（５）容器製造装置１は、化粧皿Ｃ１の側面に付着した汚れをブラシ３，４にて清掃することができるので、高い清掃能力を維持しつつ化粧皿Ｃ１を繰り返し清掃することができる。
【００２７】
〔第２実施形態〕
以下、本発明の第２実施形態を図面に基づいて説明する。
図４は、本発明の第２実施形態に係る２つの容器清掃装置を示す模式図である。
なお、以下の説明では、既に説明した部分については、同一符号を付してその説明を省略する。
【００２８】
容器清掃装置１Ａは、図４に示すように、ブラシ３Ａと、ブラシ４Ａと、ナイロン束子５Ａとを備え、ブラシ３Ａと、ブラシ４Ａとの間隔は、スライダ２４を進退させることによって、化粧皿Ｃ１の短手方向の幅よりも僅かに狭くなるように調整されている。
ナイロン束子５Ａの大きさは、ブラシ３Ａと、ブラシ４Ａとの間隔に合わせた大きさに設定されている。
【００２９】
容器清掃装置１Ｂは、容器清掃装置１Ａと隣り合って配設されている。この容器清掃装置１Ｂは、ブラシ３Ｂと、ブラシ４Ｂと、ナイロン束子５Ｂとを備え、ブラシ３Ｂと、ブラシ４Ｂとの間隔は、スライダ２４を進退させることによって、化粧皿Ｃ１の長手方向の幅よりも僅かに狭くなるように調整されている。
ナイロン束子５Ｂの大きさは、ブラシ３Ｂと、ブラシ４Ｂとの間隔に合わせた大きさに設定されている。
【００３０】
図５は、２つの容器清掃装置１Ａ，１Ｂを用いて容器を清掃する前の様子を示す模式図である。ここで、図５（Ａ）は、化粧皿Ｃ１の短手方向両側の側面を清掃する前の様子を示す図であり、図５（Ｂ）は、化粧皿Ｃ１の長手方向両側の側面を清掃する前の様子を示す図である。
容器清掃装置１Ａ，１Ｂを用いて化粧皿Ｃ１を清掃するには、使用者は、図５（Ａ）に示すように、化粧皿Ｃ１の長手方向に沿って化粧皿Ｃ１を移動させるとともに、ブラシ３Ａと、ブラシ４Ａとの間に化粧皿Ｃ１を通すことによって（図５（Ａ）矢印参照）、化粧皿Ｃ１の短手方向両側の側面をブラシ３Ａおよびブラシ４Ａに当接させて清掃する。この際、ナイロン束子５Ａは、化粧皿Ｃ１の底面に当接して化粧皿Ｃ１の底面を清掃する。
【００３１】
次に、使用者は、図５（Ｂ）に示すように、化粧皿Ｃ１の短手方向に沿って化粧皿Ｃ１を移動させるとともに、ブラシ３Ｂと、ブラシ４Ｂとの間に化粧皿Ｃ１を通すことによって（図５（Ｂ）矢印参照）、化粧皿Ｃ１の長手方向両側の側面をブラシ３Ｂおよびブラシ４Ｂに当接させて清掃する。この際、ナイロン束子５Ｂは、化粧皿Ｃ１の底面に当接して化粧皿Ｃ１の底面を清掃する。
【００３２】
このような本実施形態においても、前記第１実施形態と同様の作用、効果を奏することができる他、以下の作用、効果を奏することができる。
（６）２つの容器清掃装置１Ａ，１Ｂを用いることによって、ブラシ３Ａ，３Ｂと、ブラシ４Ａ，４Ｂとの間隔を調整することなく、化粧皿Ｃ１の短手方向両側の側面に付着した汚れと、化粧皿Ｃ１の長手方向両側の側面に付着した汚れとを容易に清掃することができる。したがって、固形化粧料の製造効率を更に向上させることができるとともに、固形化粧料の製造不良を更に招きにくくなり、ひいては歩留まりを更に向上させることができる。
【００３３】
〔実施形態の変形〕
なお、本発明は、前記各実施形態に限定されるものではなく、本発明の目的を達成できる範囲での変形、改良等は本発明に含まれるものである。
例えば、前記各実施形態では、第１の清掃具および第２の清掃具としてブラシを採用し、第３の清掃具としてナイロン束子を採用していたが、これら以外の清掃具を採用してもよい。また、第１の清掃具および第２の清掃具は同じものでなくてもよい。
【００３４】
前記各実施形態では、第２の清掃具としてのブラシ４，４Ａ，４Ｂは、ブラシ３，３Ａ，３Ｂおよびブラシ４，４Ａ，４Ｂの対向方向に沿って進退自在に設けられていた。これに対して、第１の清掃具を進退自在に設けてもよく、第１の清掃具および第２の清掃具の双方を進退自在に設けてもよい。要するに、第１の清掃具および第２の清掃具の少なくとも一方を進退自在に設ければよい。なお、第１の清掃具と、第２の清掃具との間隔を調整しなくてもよい場合には、第１の清掃具および第２の清掃具を進退自在に設けなくてもよい。
【００３５】
前記各実施形態では、容器清掃装置１，１Ａ，１Ｂは、ナイロン束子５，５Ａ，５Ｂを備えていたが、備えていなくてもよい。
前記各実施形態では、化粧皿Ｃ１は、長方形状の底面と、４つの側面とを有する皿状に形成されていた。これに対して、容器は、円形状の底面と、側面とを有する皿状に形成されていてもよく、長方形とは異なる多角形状の底面と、この多角形の各辺に対応する複数の側面とを有する皿状に形成されていてもよい。要するに、容器は、底面および側面を有する皿状に形成されていればよい。
【産業上の利用可能性】
【００３６】
以上のように、本発明は、皿状の容器を清掃するための容器清掃装置に好適に利用できる。
【符号の説明】
【００３７】
１，１Ａ，１Ｂ  容器清掃装置
２              台座部
３，３Ａ，３Ｂ  ブラシ（第１の清掃具）
４，４Ａ，４Ｂ  ブラシ（第２の清掃具）
５，５Ａ，５Ｂ  ナイロン束子（第３の清掃具）
２１            ブラシ固定部
２２            束子取付部
２３            スリット部
２３Ａ          スリット
２４            スライダ
２４Ａ          突出部
２４Ｂ          板状部
２４Ｃ          ブラシ固定部
Ｃ１            化粧皿
Ｃ２            化粧料
【図１】
2014117541.tif 000003
【図２】
2014117541.tif 000004
【図３】
2014117541.tif 000005
【図４】
2014117541.tif 000006
【図５】
2014117541.tif 000007